(57)【特許請求の範囲】
【請求項１】
対向する隔壁で区画形成された端子台本体上部の配線接続部から端子台本体下部の配線接続部に亘って、圧着端子をネジ止めするネジ取付穴が上下方向に開口する筒状体が一体的に形成されると共に、
端子台本体の側部に、前記各ネジ取付穴の中心軸と軸心が交差するリード線挿入穴が形成され、
前記リード線挿入穴に挿入された端子台本体への取付部品のリード線が、前記ネジ取付穴に締め込む上側のネジと下側のネジとの間で挟持されて、配線接続部にネジ止めされた圧着端子と電気的に接続されることを特徴とする端子台。
【請求項２】
前記筒状体のネジ取付穴の下部開口部に、ネジが螺着可能な有底筒状のネジ取付金具が圧入され、
前記ネジ取付金具は、その頂部にバネ部材を介してリード線押さえ金具が取り付くと共に、
前記ネジ取付穴の内周に、前記バネ部材で付勢されたリード線押さえ金具を位置決めするストッパが突設され、
前記ストッパで位置決めされたリード線押さえ金具の頂部に、前記リード線挿入穴に挿入されたリード線が当接することを特徴とする請求項１に記載の端子台。
【請求項３】
前記筒状体は、樹脂材料で形成された端子台本体と別体の金属材料で形成され、前記ネジ取付穴の上部開口側内周は、ネジが螺着可能に螺刻されていることを特徴とする請求項１または請求項２に記載の端子台。
【請求項４】
前記筒状体は、樹脂材料で形成された端子台本体と一体成形され、前記ネジ取付穴の上部開口部に、ネジが螺着可能な筒状のネジ取付金具が圧入されていることを特徴とする請求項１または請求項２に記載の端子台。
【請求項５】
前記リード線挿入穴は、上下方向に長尺な正面視長穴形状とされていることを特徴とする請求項１または請求項２に記載の端子台。
【発明の詳細な説明】
【技術分野】
【０００１】
本発明は、配線用の圧着端子等を接続する端子台に関する。
【背景技術】
【０００２】
従来、例えば電源装置とこの電源装置から電力の供給を受ける電子機器との接続に端子台が使用されている。
【０００３】
端子台は電子機器の筐体に取り付き、電源装置と電子機器内部の電子部品は端子台を介してリード線で接続され、対向する隔壁で区画された端子台の上下の配線接続部に、リード線の先端に取り付く圧着端子等がネジ止めされる構造となっている。
【０００４】
そして、特許文献１に開示されるように、従来、端子台への圧着端子の取り付け／取り外しに当たり、ネジの脱落防止を図る様々な提案がなされている。
【０００５】
また、従来、このように電源装置と電子機器とを接続している端子台に、更に、例えば電子機器の高周波ノイズを除去するコンデンサや放電用の抵抗等を接続することがあるが、これらコンデンサや抵抗等の部品を接続する場合も、部品のリード線の先端に圧着端子やラグ端子を取り付けて、これらの端子を端子台の配線接続部に更にネジ止めする方法が取られている。
【先行技術文献】
【特許文献】
【０００６】
【特許文献１】特開２０１０−１３９２８７号公報
【発明の概要】
【発明が解決しようとする課題】
【０００７】
しかし、斯様に圧着端子等を用いた電源装置と電子機器との接続作業に加え、更に圧着端子等を用いてコンデンサや抵抗等の部品を端子台に接続する従来方法は、作業工数が多く手間がかかっているのが実情であった。
【０００８】
本発明は斯かる実情に鑑み案出されたもので、前述の如くコンデンサや抵抗等の取付部品を端子台に取り付けるに当たり、圧着端子等によるネジ止めを不要とした端子台を提供することを目的とする。
【課題を解決するための手段】
【０００９】
斯かる目的を達成するため、請求項１に係る端子台は、対向する隔壁で区画形成された端子台本体上部の配線接続部から端子台本体下部の配線接続部に亘って、圧着端子をネジ止めするネジ取付穴が上下方向に開口する筒状体が一体的に形成されると共に、端子台本体の側部に、前記各ネジ取付穴の中心軸と軸心が交差するリード線挿入穴が形成され、前記リード線挿入穴に挿入された端子台本体への取付部品のリード線が、前記ネジ取付穴に締め込む上側のネジと下側のネジとの間で挟持されて、配線接続部にネジ止めされた圧着端子と電気的に接続されることを特徴とする。
【００１０】
そして、請求項２に係る発明は、請求項１に記載の端子台に於て、前記筒状体のネジ取付穴の下部開口部に、ネジが螺着可能な有底筒状のネジ取付金具が圧入され、前記ネジ取付金具は、その頂部にバネ部材を介してリード線押さえ金具が取り付くと共に、前記ネジ取付穴の内周に、前記バネ部材で付勢されたリード線押さえ金具を位置決めするストッパが突設され、前記ストッパで位置決めされたリード線押さえ金具の頂部に、前記リード線挿入穴に挿入されたリード線が当接することを特徴とする。
【００１１】
また、請求項３に係る発明は、請求項１または請求項２に記載の端子台に於て、前記筒状体は、樹脂材料で形成された端子台本体と別体の金属材料で形成され、前記ネジ取付穴の上部開口側内周は、ネジが螺着可能に螺刻されていることを特徴とし、請求項４に係る発明は、請求項１または請求項２に記載の端子台に於て、前記筒状体は、樹脂材料で形成された端子台本体と一体成形され、前記ネジ取付穴の上部開口部に、ネジが螺着可能な筒状のネジ取付金具が圧入されていることを特徴とする。
【００１２】
そして、請求項５に係る発明は、請求項１または請求項２に記載の端子台に於て、前記リード線挿入穴が上下方向に長尺な正面視長穴形状とされていることを特徴とする。
【発明の効果】
【００１３】
各請求項に係る発明によれば、配線接続部への圧着端子のネジ止めと同時に、端子台への抵抗やコンデンサのリード線の接続が可能となり、従来の圧着端子を用いた抵抗やコンデンサの接続作業に比し作業工数の低減が図られることとなった。
【００１４】
そして、請求項２に係る発明によれば、上側のネジと、下方からバネ付勢されたリード線押さえ金具とでリード線を挟持して、リード線挿入穴からのリード線の脱落が防止されるため、作業性に優れた利点を有する。
【００１５】
また、請求項３に係る発明によれば、金属製の筒状体を介して上下の配線接続部が電気的に接続されるため、大きな電流を流すことができ、請求項４に係る発明によれば、端子台本体の成形時に筒状体を一体成形することで、製造が容易でコストの削減を図ることができる。
【００１６】
そして、請求項５に係る発明によれば、上側のネジの締め付けに伴うリード線の湾曲をより確実に防止することが可能となる。
【図面の簡単な説明】
【００１７】
【図１】請求項１及び請求項２の一実施形態に係る端子台の正面図である。
【図２】端子台本体の平面図である。
【図３】端子台本体の正面図である。
【図４】端子台本体の側面図である。
【図５】筒状体の平面図である。
【図６】筒状体の側面図である。
【図７】筒状体の正面図である。
【図８】上下にネジ取付金具、圧着端子が取り付いた筒状体の正面図である。
【図９】上下にネジ取付金具、圧着端子が取り付いた筒状体の断面図である。
【図１０】図８に示す筒状体の分解図である。
【図１１】ネジ取付金具の平面図と正面図である。
【図１２】ネジ取付金具の平面図と正面図である。
【図１３】リード線押さえ金具の平面図と正面図である。
【図１４】請求項１、請求項２及び請求項５の一実施形態に係る端子台本体の正面図である。
【図１５】筒状体の平面図である。
【図１６】筒状体の正面図である。
【発明を実施するための形態】
【００１８】
以下、本発明の実施形態を図面に基づいて詳細に説明する。
【００１９】
図１は請求項１及び請求項２の一実施形態に係る端子台を示し、図中、１は平面視矩形状に形成された板状の基台、３は当該基台１の上下に等間隔に対向配置された複数の隔壁で、図１乃至図４に示すように、基台１の上部と下部の隔壁３間にブロック状の筒状体取付部５、７が形成されて、本実施形態に係る端子台９の端子台本体１１が形成されている。そして、隔壁３で区画された筒状体取付部５の上部と筒状体取付部７の下部が、夫々、圧着端子１３をネジ１５、１７で固定する配線接続部１９、２１とされており、端子台本体１１は樹脂のモールド品である。
【００２０】
また、図２乃至図４に示すように、隔壁３で区画された筒状体取付部５上部の配線接続部１９から筒状体取付部７下部の配線接続部２１に亘り、平面視正方形状の筒状体取付穴２３が開口している。そして、各筒状体取付穴２３に、平面視正方形状に形成された金属製の筒状体２５が端子台本体１１のモールド成形時に一体的に組み込まれており、筒状体２５の上部と下部は配線接続部１９、２１と面一になっている。
【００２１】
更に、図１及び図３に示すように各筒状体取付穴２３に対応して、基台１の中央正面側から裏面側に亘って筒状体取付穴２３の中心軸と軸心が交差する正面視円形状のリード線挿入穴２７が、基台１の長手方向と直交して設けられている。
【００２２】
図５乃至図１０は筒状体２５の詳細を示し、平面視正方形状に形成された筒状体２５の中心に、ネジ１５、１７を締め込む平面視円形状のネジ取付穴２９が設けられており、ネジ取付穴２９の中心軸と前記筒状体取付穴２３の中心軸は一致している。
【００２３】
そして、前記リード線挿入穴２７に対応して筒状体２５の周壁に、当該リード線挿入穴２７と同一径のリード線挿入穴３１が１８０度の間隔を開けて設けられており、斯様に端子台本体１１と筒状体２５にリード線挿入穴２７、３１を設けることで、図１及び図９に示すように、放電用の抵抗３３や図示しないコンデンサ等の取付部品の２本のリード線３５を、１本ずつ端子台本体１１の正面側から裏面側に亘ってリード線挿入穴２７、３１に挿入できるようになっている。
【００２４】
更に、図５乃至図７、図９、図１０に示すようにネジ取付穴２９の内周には、後述するリード線押さえ金具３７を位置決めする環状突起からなるストッパ３９が突設されており、当該ストッパ３９の上部に沿ってリード線挿入穴３１が開口している。
【００２５】
また、図１０に於て、４１はネジ取付穴２９の上部開口部に圧入されたネジ取付金具で、図１０及び図１１(a)、(b)に示すようにネジ取付金具４１は、ネジ取付穴２９に圧入される筒状体４３と、筒状体４３の上部外周に突設された環状フランジ４５とで構成されている。そして、筒状体４３の内周４７はネジ１５が螺着可能に螺刻されており、図８乃至図１０に示すようにネジ取付穴２９に筒状体４３を圧入した後、圧着端子１３の電極接続部４９にネジ１５を挿通させてこれを筒状体４３の内周４７に締め込むと、図１及び図９に示すように圧着端子１３が配線接続部１９にネジ止めされて、環状フランジ４５が筒状体２５の上部に当接する。
【００２６】
一方、図１０に示すようにネジ取付穴２９の下部開口部には、ネジ１７が螺着可能なネジ取付金具５１が圧入されている。図１０及び図１２(a)、(b)に示すようにネジ取付金具５１は、下部が開口して内周５３が螺刻された有底の筒状体５５と、筒状体５５の下部外周に突設された環状フランジ５７とで構成されている。そして、筒状体５５の頂部５９に、コイルスプリング６１を介してリード線押さえ金具３７が筒状体５５の中心軸上に装着されており、コイルスプリング６１の一端側は頂部５９の中央に設けたスプリング取付穴６３に取り付き、コイルスプリング６１の他端側はリード線押さえ金具３７の底部中央のスプリング取付穴６４に取り付いている。
【００２７】
図１３(a)、(b)に示すように、リード線押さえ金具３７は断面略凸状の皿状に形成され、上部の凸部６５の外周６７はテーパ状に形成されている。そして、図１０に示すようにリード線押さえ金具３７を先にしてネジ取付金具５１をネジ取付穴２９の下部開口部に圧入した後、ネジ１７でネジ取付金具５１を止着すると、図９に示すようにコイルスプリング６１のバネ力で上方へ付勢されたリード線押さえ金具３７は、凸部６３の外周６５がストッパ３９に圧接して位置決めされるようになっており、このとき、凸部６３の頂部はリード線挿入穴２７、３１と略同位置となって、リード線挿入穴２７、３１に挿入されたリード線３５が凸部６３の頂部に直線状に当接するようになっている。
【００２８】
そして、図９に示すようにネジ１５を前記取付金具４１の内周４７に軽く締め込けて、圧着端子１３を配線接続部１９に仮保持すると、ネジ１５の軸部６９の先端と、下方からバネ付勢されたリード線押さえ金具３７とでリード線３５を挟持して、リード線挿入穴２７、３１からのリード線３５の脱落を防止する。そして、この状態でネジ１５を強固に締め付けると、ネジ１５はコイルスプリング６１のバネ力に抗してリード線押さえ金具３７を下方へ押圧するが、このとき、ネジ１５で押圧されたリード線３５が大きく湾曲することがないように、リード線挿入穴２７、３１の径寸法が設定されている。
【００２９】
その他、図１に於て、７１は端子台９（端子台本体１１）を電子機器の筐体に取り付ける取付ネジで、図２に示すように基台１の左右に取付ネジ７１のネジ挿通穴７３が設けられている。
【００３０】
本実施形態に係る端子台９はこのように構成されており、既述したように筒状体２５は端子台本体１１の成形時に一体的に端子台本体１１に組み込まれ、また、予め工場出荷段階で、筒状体２５（配線接続部１９、２１）のネジ取付穴２９にネジ取付金具４１、５１が圧入され、筒状体２５（端子台本体１１）内にはリード線押さえ金具３７がネジ取付金具５１とコイルスプリング６１を介して収容されている。
【００３１】
そして、従来の端子台と同様、例えばこの端子台９を用いて通信装置等の電子機器に電源装置を接続するには、電子機器と電源装置の夫々のリード線に取り付けた圧着端子をネジ１５、１７を用いて配線接続部１９、２１に接続すればよい。
【００３２】
一方、端子台９に放電用の抵抗３３やノイズ除去のコンデンサ等を接続する場合には、既述した圧着端子の取付作業でのネジ１５の締め付け前に、端子台本体１１の正面側から抵抗３３のリード線３５をリード線挿入穴２７、３１に挿入すればよい。
【００３３】
而して、既述したようにストッパ３９に位置決めされたリード線押さえ金具３７は、凸部６３の頂部がリード線挿入穴２７、３１と略同位置となっているため、リード線３５は端子台本体１１の正面側から裏面側にスムーズに挿通する。また、仮にリード線押さえ金具３７の頂部がリード線挿入穴３１よりやや上方に突出していて、リード線挿入穴２７、３１に挿入したリード線３５の先端が凸部６５の外周６７に突き当たっても、当該外周６７はテーパ状に形成されているため、リード線３５は外周６７に沿って反対側のリード線挿入穴３１へと案内されることとなる。
【００３４】
この後、図９に示すようにネジ１５を取付金具４１の内周４７に軽く締め込けて、圧着端子１３を配線接続部１９に仮保持すれば、ネジ１５の軸部６９の先端と、下方からバネ付勢されたリード線押さえ金具３７とでリード線３５を挟持して、リード線挿入穴２７、３１からのリード線３５の脱落を防止する。そして、この状態でネジ１５を強固に締め付けると、ネジ１５がコイルスプリング６１のバネ力に抗してリード線押さえ金具３７を下方へ押圧し、圧着端子１３が配線接続部１９に固定されて金属製の筒状体２５を介して圧着端子１３と下側の配線接続部２１側が電気的に接続される。また、ネジ１５で押圧されたリード線３５が大きく湾曲することがないようにリード線挿入穴２７、３１の径寸法が設定されているため、リード線３５が痛むことがない。
【００３５】
このように本実施形態は、端子台９に放電用の抵抗３３やノイズ除去のコンデンサ等を接続するに当たり、リード線挿入穴２７、３１に抵抗３３等のリード線３５を挿入して、圧着端子１３をネジ止めする上側のネジ１５を締め付けるだけで、リード線３５がコイルスプリング６１でバネ付勢されたリード線押さえ金具３７とネジ１５とで挟まれて固定されるようにしたので、圧着端子１３のネジ止めと同時に、端子台９への抵抗３３やコンデンサのリード線３５の接続が可能となり、従来の圧着端子を用いた抵抗３３やコンデンサの接続作業に比し作業工数の低減が図られることとなった。
【００３６】
また、本実施形態によれば、金属製の筒状体２５を介して上側の圧着端子１３と下側の配線接続部２１側が電気的に接続されるため、大きな電流を端子台９を介して流すことができる。
【００３７】
更にまた、本実施形態によれば、既述したようにネジ１５を取付金具４１の内周４７に軽く締め込けて、圧着端子１３を配線接続部１９に仮保持すれば、ネジ１５の軸部６９の先端と、下方からバネ付勢されたリード線押さえ金具３７とでリード線３５を挟持して、リード線挿入穴２７、３１からのリード線３５の脱落が防止されるため、作業性に優れた利点を有する。
【００３８】
尚、前記実施形態では、図１０に示すように筒状体２５のネジ取付穴２９の上部開口部にネジ取付金具４１を圧入したが、図示しない請求項３の一実施形態の如く前記ネジ取付金具４１を省略し、ネジ取付穴２９の上部開口部の内周を螺刻して、ネジ１５を直接ネジ取付穴２９に螺着できるようにしてもよい。
【００３９】
また、前記実施形態では、筒状体２５を金属材料で形成したが、端子台本体のモールド成形時にネジ取付穴が開口する筒状体を一体成形して、リード線挿入穴をその後に設けてもよい。
【００４０】
而して、これらの各実施形態に係る端子台によっても、図１の端子台９と同様、所期の目的を達成することが可能で、圧着端子１３のネジ止めと同時に、端子台９への抵抗３３やコンデンサのリード線３５の接続が可能となり、従来の圧着端子を用いた抵抗やコンデンサの接続作業に比し作業工数の低減が図られる利点を有する。
【００４１】
而も、斯様に端子台本体のモールド成形時に筒状体を一体成形することで、製造が容易で製造コストの削減を図ることができる。
【００４２】
また、前記実施形態では、ネジ１５の締め付けに伴い、押圧されたリード線３５が大きく湾曲することがないように正面視円形状のリード線挿入穴２７、３１の径寸法を設定したが、例えば圧着端子１３を使用せずにネジ１５の締め付けだけでリード線３５を端子台９に固定する場合がある。
【００４３】
而して、この場合にはネジ１５の締め付け量が多いため、ネジ１５の押圧に伴いリード線３５が大きく湾曲してしまう虞がある。
【００４４】
そこで、図１４乃至図１６に示す請求項１、請求項２及び請求項５の実施形態のように、前記リード線挿入穴２７、３１に代え、リード線挿入穴２７-1、３１-1を上下方向に長尺な正面視長穴形状とすると共に、環状突起からなる筒状体２５のストッパ３９に代え、突起からなるストッパ３９-1を１８０度の間隔を開けて筒状体２５-1のネジ取付穴２９の周壁に突設して、ネジ１５の押圧に伴い、コイルスプリング６１の縮退と共にリード線３５がリード線挿入穴２７-1、３１-1に沿って下方へ移動できるように構成してもよい。
【００４５】
而して、この実施形態の端子台本体１１-1によれば、ネジ１５の締め付けに伴うリード線３５の湾曲をより確実に防止することが可能となる。
【符号の説明】
【００４６】
１  基台
３  隔壁
５、７  筒状体取付部
９  端子台
１１、１１-1  端子台本体
１３  圧着端子
１５、１７、７１  ネジ
１９、２１  配線接続部
２３  筒状体取付穴
２５、２５-1  筒状体
２７、２７-1、３１、３１-1  リード線挿入穴
２９  ネジ取付穴
３３  抵抗
３５  リード線
３７  リード線押さえ金具
３９、３９-1  ストッパ
４１、５１  ネジ取付金具
４３、５５  筒状体
４５、５７  環状フランジ
６１  コイルスプリング
６３、６４スプリング取付穴
【図１】
0005551668.tif 000002
【図２】
0005551668.tif 000003
【図３】
0005551668.tif 000004
【図４】
0005551668.tif 000005
【図５】
0005551668.tif 000006
【図６】
0005551668.tif 000007
【図７】
0005551668.tif 000008
【図８】
0005551668.tif 000009
【図９】
0005551668.tif 000010
【図１０】
0005551668.tif 000011
【図１１】
0005551668.tif 000012
【図１２】
0005551668.tif 000013
【図１３】
0005551668.tif 000014
【図１４】
0005551668.tif 000015
【図１５】
0005551668.tif 000016
【図１６】
0005551668.tif 000017